(57)【要約】      （修正有）【課題】供給先が在庫リスクを持たず、すぐに商品を入手できる在庫管理システムを提供する。【解決手段】供給先が入手しない状態で、供給先に供給した商品Ｐごとに包装部材Ｃに取り付けられた情報部ＩＵが有する第１情報ｉ１を読みとる第ｎ保管情報読取部１１Ｂnと、読みとった第１情報ｉ１に基づいて、供給先に供給した商品の保管に関する第２情報を作成する第ｎ保管状況作成部３１Ｂnと、第２情報をネットワークを介して送信する第ｎ保管状況送信部５１Ｂnと、供給先に供給した商品のうち、供給先が入手する商品Ｐの包装部材Ｃに取り付けられた情報部ＩＵが有する第１情報ｉ１を読みとる第ｎ入手情報読取部１３Ｂnと、読みとった第１情報ｉ１に基づいて、供給先が入手した商品Ｐに関する第３情報を作成する第ｎ入手状況作成部３３Ｂnと、第３情報を、ネットワークを介して送信する第ｎ入手状況送信部５３Ｂnとを有する第ｎ供給先通信装置Ｂnを備える。【選択図】図５
2007137604.tif 000002
【特許請求の範囲】
【請求項１】
供給先に供給する商品を包装又は捲着し、前記商品に関する第１情報を有する情報部が取り付けられた包装部材と、
前記供給先が入手しない状態で、前記供給先に供給した商品ごとに前記包装部材に取り付けられた情報部が有する第１情報を読みとる保管情報読取部と、前記保管情報読取部によって読みとった第１情報に基づいて、前記供給先に供給した商品の保管に関する第２情報を作成する保管状況作成部と、前記第２情報をネットワークを介して送信する保管状況送信部と、前記供給先に供給した商品のうち、前記供給先が入手する商品の包装部材に取り付けられた情報部が有する第１情報を読みとる入手情報読取部と、前記入手情報読取部によって読みとった第１情報に基づいて、前記供給先が入手した商品に関する第３情報を作成する入手状況作成部と、前記第３情報を、前記ネットワークを介して送信する入手状況送信部とを有する供給先通信装置とを備える在庫管理システム。
【請求項２】
前記第１情報は、前記商品の商品名、品番、単価を有することを特徴とする請求項１に記載の在庫管理システム。
【請求項３】
前記供給先通信装置からの第２、第３情報の送信を受ける通信部と、前記第２、第３情報に基づいて、前記供給先に対して供給すべき商品の種類、及び数量を算出する制御部とを有する供給元管理装置を更に備えることを特徴とする請求項１に記載の在庫管理システム。
【請求項４】
前記供給元管理装置は、前記供給先通信装置からの第２、第３情報と、他の供給先通信装置からの第２、第３情報とに基づいて、前記商品について保管数量が多く入手数量が少ない供給先から、保管数量が少なく入手数量が多い供給先に転送を行うか否かを判断することを特徴とする請求項３に記載の在庫管理システム。
【請求項５】
前記入手情報読取部によって前記第１情報を読みとった後、前記情報部を回収する回収箱を前記供給先ごとに備えることを特徴とする請求項１に記載の在庫管理システム。
【請求項６】
供給先に供給する商品を包装又は捲着し、
前記供給先が入手しない状態で前記商品が前記供給先に保管される時に、前記商品の保管情報を、前記商品を前記供給先に供給する供給元に対応する供給元管理装置にネットワークを介して送信するために読みとられ、前記商品が前記供給先に入手される時に前記商品の入手情報を、前記供給元管理装置にネットワークを介して送信するために読みとられる前記商品に関する第１情報を有する情報部が取り付けられることを特徴とする包装部材。
【請求項７】
前記情報部は取り外し可能であり、
前記情報部が出し入れ可能なスロットを有することを特徴とする請求項６に記載の包装部材。
【請求項８】
供給先通信装置の保管情報読取部が、前記供給先通信装置に対応する供給先が入手しない状態で前記供給先に供給した商品を包装又は捲着する包装部材に取り付けた情報部が有する前記商品に関する第１情報を読みとる第１ステップと、
前記供給先通信装置の保管状況作成部が、前記保管情報読取部によって読みとられた第１情報に基づいて、前記供給先に供給した商品の保管に関する第２情報を作成する第２ステップと、
前記供給先通信装置の保管状況送信部が、前記第２情報を、前記供給先に前記商品を供給する供給元に対応する供給元管理装置にネットワークを介して送信する第３ステップと、
前記供給先通信装置の入手情報読取部が、前記供給先に供給した商品のうち、前記供給先が入手する商品に対応する包装部材に取り付けられた情報部が有する第１情報を読みとる第４ステップと、
前記供給先通信装置の入手状況作成部が、前記入手情報読取部によって読みとられた第１情報に基づいて、前記供給先が入手した商品に関する第３情報を作成する第５ステップと、
前記供給先通信装置の入手状況送信部が、前記第３情報を、前記供給元管理装置にネットワークを介して送信する第６ステップとを備える在庫管理方法。
【請求項９】
前記供給元管理装置が、前記第２、第３情報に基づいて、前記供給先に対して供給すべき商品の種類、及び数量を算出する第７ステップを更に備える請求項８に記載の在庫管理方法。
【請求項１０】
供給先に供給する商品を包装又は捲着し、前記商品に関する第１情報を有する情報部が取り付けられた包装部材と、
前記供給先が入手しない状態で、前記供給先に供給した商品ごとに前記包装部材に取り付けられた情報部が有する第１情報を読みとる保管情報読取部と、前記保管情報読取部によって読みとった第１情報に基づいて、前記供給先に供給した商品の保管に関する第２情報を作成する保管状況作成部と、前記第２情報をネットワークを介して送信する保管状況送信部とを有する供給先通信装置とを備える在庫管理システムであって、
前記第１情報の読み取りは、時間間隔をおいて再度行われることを特徴とする在庫管理システム。
【請求項１１】
前記供給先通信装置からの前記第２情報の送信を受ける通信部と、前記時間間隔をおく前の第１情報に基づく第２情報と前記時間間隔をおいた後の第１情報に基づく第２情報とに基づいて、前記供給先に対して供給すべき商品の種類、及び数量を算出する制御部とを有する供給元管理装置を更に備えることを特徴とする請求項１０に記載の在庫管理システム。
【請求項１２】
供給先に供給する商品を包装又は捲着し、
前記供給先が入手しない状態で、前記商品の保管情報を、前記商品を前記供給先に供給する供給元に対応する供給元管理装置にネットワークを介して送信するために時間間隔をおいて複数回、読みとられる前記商品に関する第１情報を有する情報部が取り付けられることを特徴とする包装部材。
【請求項１３】
供給先通信装置の保管情報読取部が、前記供給先通信装置に対応する供給先が入手しない状態で前記供給先に供給した商品を包装又は捲着する包装部材に取り付けられた情報部が有する前記商品に関する第１情報を読みとる第１ステップと、
前記供給先通信装置の保管状況作成部が、前記保管情報読取部によって読みとられた第１情報に基づいて、前記供給先に供給した商品の保管に関する第２情報を作成する第２ステップと、
前記供給先通信装置の保管状況送信部が、前記第２情報を、前記供給先に前記商品を供給する供給元に対応する供給元管理装置にネットワークを介して送信する第３ステップと、
前記第１情報の読み取りを前記第１ステップの後、時間間隔を置いて再度行う第４ステップと、
前記第４ステップにおける第１情報に基づいて再度前記第２情報を作成する第５ステップと、
前記第５ステップにおける第２情報を再度前記供給元管理装置に送信する第６ステップとを備える在庫管理方法。
【請求項１４】
前記供給元管理装置が、前記第３ステップにおける第２情報と前記第６ステップにおける第２情報とに基づいて、前記供給先に対して供給すべき商品の種類、及び数量を算出する第７ステップを更に備える請求項１３に記載の在庫管理方法。
【発明の詳細な説明】
【技術分野】
【０００１】
本発明は、在庫管理システムに関し、特に供給先に供給した商品の保管状況を管理するシステムに関する。
【背景技術】
【０００２】
企業などで消費される筆記具などの消耗品は、使用数量を予測して予め仕入れておくか、翌日配送システムを持つ業者に注文を行い仕入れるのが一般的である。
【発明の開示】
【発明が解決しようとする課題】
【０００３】
しかし、企業が消耗品を予め仕入れておく場合は、在庫リスクが発生する。翌日配送システムでは、在庫リスクは解消されるが、消耗品を入手するまでに時間がかかる。
【０００４】
したがって本発明の目的は、供給先が在庫リスクを持たず、すぐに商品を入手できる在庫管理システムを提供することである。
【課題を解決するための手段】
【０００５】
本発明に係る在庫管理システムは、供給先に供給する商品を包装又は捲着し、商品に関する第１情報を有する情報部が取り付けられた包装部材と、供給先が入手しない状態で、供給先に供給した商品ごとに包装部材に取り付けられた情報部が有する第１情報を読みとる保管情報読取部と、保管情報読取部によって読みとった第１情報に基づいて、供給先に供給した商品の保管に関する第２情報を作成する保管状況作成部と、第２情報をネットワークを介して送信する保管状況送信部と、供給先に供給した商品のうち、供給先が入手する商品の包装部材に取り付けられた情報部が有する第１情報を読みとる入手情報読取部と、入手情報読取部によって読みとった第１情報に基づいて、供給先が入手した商品に関する第３情報を作成する入手状況作成部と、第３情報を、ネットワークを介して送信する入手状況送信部とを有する供給先通信装置とを備える。
【０００６】
好ましくは、第１情報は、商品の商品名、品番、単価を有する。
【０００７】
また、好ましくは、供給先通信装置からの第２、第３情報の送信を受ける通信部と、第２、第３情報に基づいて、供給先に対して供給すべき商品の種類、及び数量を算出する制御部とを有する供給元管理装置を更に備える。
【０００８】
さらに好ましくは、供給元管理装置は、供給先通信装置からの第２、第３情報と、他の供給先通信装置からの第２、第３情報とに基づいて、商品について保管数量が多く入手数量が少ない供給先から、保管数量が少なく入手数量が多い供給先に転送を行うか否かを判断する。
【０００９】
また、好ましくは、入手情報読取部によって第１情報を読みとった後、情報部を回収する回収箱を供給先ごとに備える。
【００１０】
本発明に係る包装部材は、供給先に供給する商品を包装又は捲着し、供給先が入手しない状態で商品が供給先に保管される時に、商品の保管情報を、商品を供給先に供給する供給元に対応する供給元管理装置にネットワークを介して送信するために読みとられ、商品が供給先に入手される時に商品の入手情報を、供給元管理装置にネットワークを介して送信するために読みとられる商品に関する第１情報を有する情報部が取り付けられる。
【００１１】
好ましくは、情報部は取り外し可能であり、包装部材は情報部が出し入れ可能なスロットを有する。
【００１２】
本発明に係る在庫管理方法は、供給先通信装置の保管情報読取部が、供給先通信装置に対応する供給先が入手しない状態で供給先に供給した商品を包装又は捲着する包装部材に取り付けた情報部が有する商品に関する第１情報を読みとる第１ステップと、供給先通信装置の保管状況作成部が、保管情報読取部によって読みとられた第１情報に基づいて、供給先に供給した商品の保管に関する第２情報を作成する第２ステップと、供給先通信装置の保管状況送信部が、第２情報を、供給先に商品を供給する供給元に対応する供給元管理装置にネットワークを介して送信する第３ステップと、供給先通信装置の入手情報読取部が、供給先に供給した商品のうち、供給先が入手する商品に対応する包装部材に取り付けられた情報部が有する第１情報を読みとる第４ステップと、供給先通信装置の入手状況作成部が、入手情報読取部によって読みとられた第１情報に基づいて、供給先が入手した商品に関する第３情報を作成する第５ステップと、供給先通信装置の入手状況送信部が、第３情報を、供給元管理装置にネットワークを介して送信する第６ステップとを備える。
【００１３】
好ましくは、供給元管理装置が、第２、第３情報に基づいて、供給先に対して供給すべき商品の種類、及び数量を算出する第７ステップを更に備える。
【００１４】
本発明に係る他の在庫管理システムは、供給先に供給する商品を包装又は捲着し、商品に関する第１情報を有する情報部が取り付けられた包装部材と、供給先が入手しない状態で、供給先に供給した商品ごとに包装部材に取り付けられた情報部が有する第１情報を読みとる保管情報読取部と、保管情報読取部によって読みとった第１情報に基づいて、供給先に供給した商品の保管に関する第２情報を作成する保管状況作成部と、第２情報をネットワークを介して送信する保管状況送信部とを有する供給先通信装置とを備える在庫管理システムであって、第１情報の読み取りは、時間間隔をおいて再度行われる。
【００１５】
好ましくは、供給先通信装置からの第２情報の送信を受ける通信部と、時間間隔をおく前の第１情報に基づく第２情報と時間間隔をおいた後の第１情報に基づく第２情報とに基づいて、供給先に対して供給すべき商品の種類、及び数量を算出する制御部とを有する供給元管理装置を更に備える。
【００１６】
本発明に係る他の包装部材は、供給先に供給する商品を包装又は捲着し、供給先が入手しない状態で、商品の保管情報を、商品を供給先に供給する供給元に対応する供給元管理装置にネットワークを介して送信するために時間間隔をおいて複数回、読みとられる商品に関する第１情報を有する情報部が取り付けられる。
【００１７】
本発明に係る他の在庫管理方法は、供給先通信装置の保管情報読取部が、供給先通信装置に対応する供給先が入手しない状態で供給先に供給した商品を包装又は捲着する包装部材に取り付けられた情報部が有する商品に関する第１情報を読みとる第１ステップと、供給先通信装置の保管状況作成部が、保管情報読取部によって読みとられた第１情報に基づいて、供給先に供給した商品の保管に関する第２情報を作成する第２ステップと、供給先通信装置の保管状況送信部が、第２情報を、供給先に商品を供給する供給元に対応する供給元管理装置にネットワークを介して送信する第３ステップと、第１情報の読み取りを前記第１ステップの後、時間間隔を置いて再度行う第４ステップと、第４ステップにおける第１情報に基づいて再度第２情報を作成する第５ステップと、第５ステップにおける第２情報を再度供給元管理装置に送信する第６ステップとを備える。
【００１８】
好ましくは、供給元管理装置が、第３ステップにおける第２情報と第６ステップにおける第２情報とに基づいて、供給先に対して供給すべき商品の種類、及び数量を算出する第７ステップを更に備える。
【発明の効果】
【００１９】
以上のように本発明によれば、供給先が在庫リスクを持たず、すぐに商品を入手できる在庫管理システムを提供することができる。
【発明を実施するための最良の形態】
【００２０】
以下、第１実施形態について、図を用いて説明する。第１実施形態における在庫管理システム１は、供給元管理装置Ａ、及び第１〜第Ｎ供給先通信装置Ｂ1〜ＢNを備える（図１参照）。これらの通信装置は、インターネット等、ネットワークを介して信号の送受信が可能である。供給元管理装置Ａは、入力部（不図示）としてキーボード、ポインティングデバイスなどを有し、出力部７０Ａとしてモニター、プリンターなどを有し、制御部３０ＡとしてＣＰＵなどを有するネットワーク接続が可能なコンピュータである（図８参照）。第１〜第Ｎ供給先通信装置Ｂ1〜ＢNは、入力部として情報読取装置を有し、制御部としてＣＰＵなどを有するネットワーク接続が可能な通信装置である。Ｎは１以上の整数である。
【００２１】
供給元管理装置Ａに対応する供給元ＭＡは、第１〜第Ｎ供給先通信装置Ｂ1〜ＢNに対応する第１〜第Ｎ供給先ＭＢ1〜ＭＢNに対して筆記具などの消耗品（商品Ｐ）を供給する。
【００２２】
供給元ＭＡは、第１〜第Ｎ供給先ＭＢ1〜ＭＢNが入手しない状態で、第１〜第Ｎ供給先ＭＢ1〜ＭＢNに、商品Ｐを供給する。供給した商品Ｐは、第１〜第Ｎ供給先ＭＢ1〜ＭＢNで、供給元ＭＡの在庫として保管される。供給された商品Ｐのうち、第１〜第Ｎ供給先ＭＢ1〜ＭＢNが必要に応じて入手した商品Ｐについては、第１〜第Ｎ供給先ＭＢ1〜ＭＢNにおける保管数から減算される。
【００２３】
商品Ｐが第ｎ供給先ＭＢnに保管された状態から、第ｎ供給先ＭＢnに入手された状態への切り替えは、保管された状態の商品Ｐのうち第ｎ供給先ＭＢnによって選択された商品Ｐを包装又は捲着した包装部材Ｃに取り付けられた情報部ＩＵが有する第１情報ｉ１が、第ｎ入手情報読取部１３Ｂnによって読みとられることによって行われる。ｎは１以上Ｎ以下の任意の整数である。
【００２４】
第１〜第Ｎ供給先ＭＢ1〜ＭＢNに保管された商品Ｐの在庫状況（保管状況）を算出するために使用される第１〜第Ｎ保管情報ｉ２1〜ｉ２N、及び第１〜第Ｎ供給先ＭＢ1〜ＭＢNに入手された商品Ｐの状況（入手状況）を算出するために使用される第１〜第Ｎ入手情報ｉ３1〜ｉ３Nは、第１〜第Ｎ供給先通信装置Ｂ1〜ＢNから、ネットワークを介して、供給元管理装置Ａに送信される。供給元管理装置Ａに送信されたデータ（第１〜第Ｎ保管情報ｉ２1〜ｉ２N、及び第１〜第Ｎ入手情報ｉ３1〜ｉ３N）に基づいて、第１〜第Ｎ供給先ＭＢ1〜ＭＢNの保管状況、及び入手状況が算出され、第１〜第Ｎ供給先ＭＢ1〜ＭＢNに供給する商品の種類、数量、及び時期が算出される。
【００２５】
第１〜第Ｎ供給先ＭＢ1〜ＭＢNに供給される商品Ｐは、包装部材Ｃに包装又は捲着された状態で保管される。商品Ｐは、第１〜第Ｎ供給先ＭＢ1〜ＭＢNにおける入手予定者が、視認出来る状態で保管（展示）されるのが望ましい。包装部材Ｃが商品Ｐを包装する場合は、包装された商品Ｐの内容が外部から視認できる程度の透明な部材であるのが望ましい。包装部材Ｃが商品Ｐを捲着する場合は、捲着された商品Ｐの内容が外部から視認出来る程度の大きさであること、又は捲着位置であること、又は透明な部材であることが望ましい。
【００２６】
包装部材Ｃには、情報部ＩＵが取り付けられ、情報部ＩＵは第１情報ｉ１を有する。第１情報ｉ１は、商品Ｐに関する情報であり、バーコードで表され、商品Ｐの商品名、品番、単価、包装部材Ｃによって包装又は捲着される個数などの情報を有する。情報部ＩＵは、後述する第ｎ保管情報読取部１１Ｂn、及び第ｎ入手情報読取部１３Ｂnによって第１情報ｉ１が読み取り可能な状態で、包装部材Ｃに取り付けられる（図２〜図４参照）。
【００２７】
図２は、商品Ｐが１冊のノート（商品個数：１）であって、包装部材Ｃに包装される形態を、図３は、商品Ｐが５本の鉛筆（商品個数：５）であって、包装部材Ｃに包装される形態を、図４は、商品Ｐが１箱のプリンター用トナー（商品個数：１）であって、包装部材Ｃに捲着される形態を示す。
【００２８】
第１供給先通信装置Ｂ1は、第１入力部１０Ｂ1、第１制御部３０Ｂ1、及び第１通信部５０Ｂ1を有する。第１入力部１０Ｂ1は、第１保管情報読取部１１Ｂ1、及び第１入手情報読取部１３Ｂ1を有する。第１制御部３０Ｂ1は、第１保管状況作成部３１Ｂ1、及び第１入手状況作成部３３Ｂ1を有する。第１通信部５０Ｂ1は、第１保管状況送信部５１Ｂ1、及び第１入手状況送信部５３Ｂ1を有する。
【００２９】
第ｎ供給先通信装置Ｂnは、第ｎ入力部１０Ｂn、第ｎ制御部３０Ｂn、及び第ｎ通信部５０Ｂnを有する。第ｎ入力部１０Ｂnは、第ｎ保管情報読取部１１Ｂn、及び第ｎ入手情報読取部１３Ｂnを有する。第ｎ制御部３０Ｂnは、第ｎ保管状況作成部３１Ｂn、及び第ｎ入手状況作成部３３Ｂnを有する。第ｎ通信部５０Ｂnは、第ｎ保管状況送信部５１Ｂn、及び第ｎ入手状況送信部５３Ｂnを有する（図５参照）。
【００３０】
第Ｎ供給先通信装置ＢNは、第Ｎ入力部１０ＢN、第Ｎ制御部３０ＢN、及び第Ｎ通信部５０ＢNを有する。第Ｎ入力部１０ＢNは、第Ｎ保管情報読取部１１ＢN、及び第Ｎ入手情報読取部１３ＢNを有する。第Ｎ制御部３０ＢNは、第Ｎ保管状況作成部３１ＢN、及び第Ｎ入手状況作成部３３ＢNを有する。第Ｎ通信部５０ＢNは、第Ｎ保管状況送信部５１ＢN、及び第Ｎ入手状況送信部５３ＢNを有する。
【００３１】
第ｎ保管情報読取部１１Ｂn、第ｎ入手情報読取部１３Ｂnは、バーコードリーダーであり、バーコードで表された第１情報ｉ１を読みとる。
【００３２】
第ｎ保管情報読取部１１Ｂnによる第１情報ｉ１の読み取りは、供給元ＭＡから第ｎ供給先ＭＢnに供給された商品Ｐのうち、第ｎ供給先ＭＢnが入手する前の商品Ｐについて行われる。
【００３３】
第ｎ入手情報読取部１３Ｂnによる第１情報ｉ１の読み取りは、供給元ＭＡから第ｎ供給先ＭＢnに供給された商品Ｐのうち、第ｎ供給先ＭＢnが入手する商品Ｐについて行われる。
【００３４】
第ｎ保管情報読取部１１Ｂnと第ｎ入手情報読取部１３Ｂnは、同じハードウェアであって、第１情報ｉ１の読み取り時に、保管情報読み取りの為に行うものか、入手状況読み取りの為に行うものかを切り替えて使ってもよいし、異なるハードウェアであってもよい。
【００３５】
第ｎ保管状況作成部３１Ｂnは、第ｎ保管情報読取部１１Ｂnで読みとられた商品Ｐごとの第１情報ｉ１に基づいて、第ｎ保管情報ｉ２nを作成する。第ｎ保管情報ｉ２nは、第１情報ｉ１と、第ｎ供給先ＭＢnが第１情報ｉ１を有する商品Ｐを保管していることを特定する識別情報とを有する情報である。
【００３６】
第ｎ入手状況作成部３３Ｂnは、第ｎ入手情報読取部１３Ｂnで読みとられた商品Ｐごとの第１情報ｉ１に基づいて、第ｎ入手情報ｉ３nを作成する。第ｎ入手情報ｉ３nは、第１情報ｉ１と、第ｎ供給先ＭＢnが第１情報ｉ１を有する商品Ｐを入手したことを特定する識別情報とを有する情報である。
【００３７】
第ｎ保管状況送信部５１Ｂnは、第ｎ供給先ＭＢnに供給された商品ごとの第ｎ保管情報ｉ２nを、ネットワークを介して供給元管理装置Ａに送信する。
【００３８】
第ｎ入手状況送信部５３Ｂnは、第ｎ供給先ＭＢnに供給された商品のうち、第ｎ供給先ＭＢnが入手した商品ごとの第ｎ入手情報ｉ３nを、ネットワークを介して供給元管理装置Ａに送信する。
【００３９】
第ｎ保管情報読取部１１Ｂnによる第１情報ｉ１の読み取り、第ｎ保管状況作成部３１Ｂnによる第ｎ保管情報ｉ２nの作成、及び第ｎ保管状況送信部５１Ｂnによる第ｎ保管情報ｉ２nの送信は、商品Ｐが第ｎ供給先ＭＢnに供給され包装部材Ｃに包装又は捲着された後であって、第ｎ供給先ＭＢnに入手される前に行われる。
【００４０】
第ｎ入手情報読取部１３Ｂnによる第１情報ｉ１の読み取り、第ｎ入手状況作成部３３Ｂnによる第ｎ入手情報ｉ３nの作成、及び第ｎ入手状況送信部５３Ｂnによる第ｎ入手情報ｉ３nの送信は、商品Ｐが第ｎ供給先ＭＢnに入手される時に行われる。
【００４１】
供給元管理装置Ａは、第１〜第Ｎ供給先通信装置Ｂ1〜ＢNの第１〜第Ｎ保管状況送信部５１Ｂ1〜５１ＢNより第１〜第Ｎ保管情報ｉ２1〜ｉ２Nの送信を受ける。供給元管理装置Ａは、第１〜第Ｎ供給先通信装置Ｂ1〜ＢNの第１〜第Ｎ入手状況送信部５３Ｂ1〜５３ＢNより第１〜第Ｎ入手情報ｉ３1〜ｉ３Nの送信を受ける。
【００４２】
供給元管理装置Ａは、制御部３０Ａ、通信部５０Ａ、及び出力部７０Ａを有する（図８参照）。
【００４３】
通信部５０Ａは、第１〜第Ｎ供給先通信装置Ｂ1〜ＢNの第１〜第Ｎ保管状況送信部５１Ｂ1〜５１ＢNから第１〜第Ｎ保管情報ｉ２1〜ｉ２Nの送信を受け、第１〜第Ｎ供給先通信装置Ｂ1〜ＢNの第１〜第Ｎ入手状況送信部５３Ｂ1〜５３ＢNから第１〜第Ｎ入手情報ｉ３1〜ｉ３Nの送信を受ける。
【００４４】
制御部３０Ａは、第１〜第Ｎ保管情報ｉ２1〜ｉ２N、及び第１〜第Ｎ入手情報ｉ３1〜ｉ３Nに基づいて、第１〜第Ｎ供給先ＭＢ1〜ＭＢNにおける商品ごとの保管状況、入手状況を集計し記録する。保管状況の集計には、商品毎の保管量などに、保管中の商品の金額、保管数が一定数量を下回った事を示す情報などの付加情報（備考）を加えても良い。入手状況の集計には、商品毎の入手数などに、入手した商品の金額（単価×個数）、毎日入手実績がある事を示す情報などの付加情報（備考）を加えても良い。
【００４５】
出力部７０Ａは、第１〜第Ｎ供給先ＭＢ1〜ＭＢNにおける商品ごとの保管状況（図６参照）、入手状況（図７参照）を出力し、これにより、供給元管理装置Ａの使用者など供給元ＭＡはこれらを視認することが可能になる。図６は、保管状況の例として、２００５年８月２４日１０時１５分時点で、第ｎ供給先ＭＢnにノート１００冊、５本入り鉛筆１０セット、プリンター用トナー３０箱が供給されている（保管されている）状況を示す。図７は、入手状況の例として、２００５年８月２４日１０時１６分から１１時３０分の間で、第ｎ供給先ＭＢnがノート１０冊、５本入り鉛筆６セット、プリンター用トナー２箱を入手した状況を示す。
【００４６】
保管状況、及び入手状況に基づいて、供給元管理装置Ａの制御部３０Ａは、次に第１〜第Ｎ供給先ＭＢ1〜ＭＢNに供給すべき商品の種類、数量、及び供給時期を算出する。また、入手状況に基づいて、供給元管理装置Ａの制御部３０Ａは、第１〜第Ｎ供給先ＭＢ1〜ＭＢNが入手する商品の傾向、また、入手した商品に応じて第１〜第Ｎ供給先ＭＢ1〜ＭＢNが入手した商品の金額（単価×個数）を算出する。
【００４７】
さらに、供給元管理装置Ａの制御部３０Ａは、第ｎ供給先ＭＢnに対応する第ｎ供給先通信装置Ｂnからの第ｎ保管情報ｉ２n、及び第ｎ入手情報ｉ３nに基づいて、特定の商品の保管数量が一定数量以下になった場合や、一定期間継続して入手実績があった場合に、出力部７０Ａを介して供給元ＭＡに商品供給を促す警告を行う。図６は、第ｎ供給先ＭＢnにおいて、商品名：鉛筆の保管数が１０以下になったことを備考欄で示し、図７は、第ｎ供給先ＭＢnにおいて、商品名：鉛筆について毎日入手実績があることを備考欄で示す。
【００４８】
また、供給元管理装置Ａの制御部３０Ａは、第ｎ供給先ＭＢnにおいて保管されているが、入手数量の少ない商品Ｐについては、供給元ＭＡへ返品を行うか否かを判断し、且つ返品を促す警告を出力部７０Ａで行う、又は保管数量が少なく入手数量が多い別の第ｍ供給先ＭＢmに商品Ｐの転送を行うか否かを判断し、且つ転送を促す警告を出力部７０Ａで行う。ｍは、ｎと異なる１以上Ｎ以下の整数である。警告に対応して返品や転送を行う際には、第ｎ保管情報読取部１１Ｂnが、返品や転送する商品Ｐの第１情報ｉ１を読みとって、供給元管理装置Ａにおいて第ｎ供給先ＭＢnの保管数量から差し引きする処理を行う。
【００４９】
第１〜第Ｎ供給先ＭＢ1〜ＭＢNは、第１〜第Ｎ供給先ＭＢ1〜ＭＢNが有するパソコン等（不図示）から制御部３０Ａが記録したメモリにアクセスすることにより、自身の保管状況や商品の供給状況、入手状況を確認することができる。
【００５０】
在庫管理システム１により、第１〜第Ｎ供給先ＭＢ1〜ＭＢNは、入手しない状態で供給元ＭＡから供給された商品を保管することが可能になる。これにより、第１〜第Ｎ供給先ＭＢ1〜ＭＢNは、入手する可能性の高い商品を手元に保管し、入手したい時に直ちに入手することが可能になる。入手する可能性の高い商品を手元に保管する際、第１〜第Ｎ供給先ＭＢ1〜ＭＢNは、商品を入手していない状態、すなわち供給元ＭＡの在庫扱いであるので、在庫リスクを負わない。また、入手する商品を第１〜第Ｎ供給先ＭＢ1〜ＭＢNで保管させる（供給済み）ので、供給元ＭＡは品切れ状態の解消させるための商品保管スペースを設けるだけでよく、商品を保管するスペースを小さくすることが可能になる。
【００５１】
商品Ｐが、どの供給先で保管されているか、どの供給先で入手されたかについては、商品Ｐを包装又は捲着する包装部材Ｃに取り付けられた情報部ＩＵが有する第１情報ｉ１によって判別される。そのため、商品Ｐに直接情報部ＩＵが取り付けられた場合に比べて、商品Ｐが汚されるおそれが少ない。
【００５２】
商品Ｐは、包装部材Ｃに包装又は捲着された状態で、保管、及び入手されるので、別の業者が入手した同じ商品Ｐとの判別が容易である。
【００５３】
在庫管理システム１は、第１〜第Ｎ供給先ＭＢ1〜ＭＢNごとに、第１〜第Ｎ回収箱Ｈ1〜ＨNを有しても良い。第ｎ回収箱Ｈnは、第ｎ入手情報読取部１３Ｂnによって第１情報ｉ１を読みとり、商品Ｐを抜き取った後の情報部ＩＵを除く包装部材Ｃ又は情報部ＩＵを回収するために使用される（図９参照）。図９は、情報部ＩＵを含む包装部材Ｃ全体を回収する形態を示す。これにより、包装部材Ｃおよび情報部ＩＵを再利用することが可能になる。
【００５４】
包装部材Ｃは、情報部ＩＵが取り外し可能な状態で挿入されるスロットＳＬを有しても良い（図１０参照）。スロットＳＬは、情報部ＩＵがＩＣタグなど高価な部材で包装部材Ｃよりも特に再利用が必要な場合に効果的である。この場合、第ｎ入手情報読取部１３Ｂnは、情報部ＩＵだけを回収する箱（第ｎ回収箱Ｈn）と一体で構成することも可能である（不図示）。
【００５５】
第１実施形態では、第１情報ｉ１はバーコードで表示され、第ｎ保管情報読取部１１Ｂn、及び第ｎ入手情報読取部１３Ｂnはバーコードリーダーである形態を説明するが、第１情報ｉ１を表示し読みとる形態は、情報部ＩＵがＩＣタグであるなど他の形態であってもよい。
【００５６】
次に、商品Ｐが供給元ＭＡから第ｎ供給先ＭＢnに供給され、第ｎ供給先ＭＢnが商品Ｐを入手する手順を図１１のフローチャートを用いて説明する。
【００５７】
ステップＳ１で、商品Ｐが第１情報ｉ１を有する情報部ＩＵが取り付けられた包装部材Ｃによって包装または捲着された状態で、供給元ＭＡから第ｎ供給先ＭＢnに供給される。但し、情報部ＩＵの包装部材Ｃへの取付、及び包装部材Ｃによる包装又は捲着は、第ｎ供給先ＭＢnに供給された後に行っても良い。ステップＳ２で、第ｎ供給先ＭＢnにおいて、第ｎ保管情報読取部１１Ｂnによって、商品Ｐの第１情報ｉ１が読みとられる。
【００５８】
ステップＳ３で、第ｎ保管情報読取部１１Ｂnによって読みとられた第１情報ｉ１に基づいて、第ｎ保管状況作成部３１Ｂnによって、第ｎ供給先ＭＢnに供給された商品Ｐの保管に関する情報（第ｎ保管情報ｉ２n）が作成される。ステップＳ４で、第ｎ保管情報送信部５１Ｂnによって、第ｎ保管情報ｉ２nが、供給元管理装置Ａの通信部５０Ａに送信される。
【００５９】
第ｎ供給先ＭＢnに供給されて保管状態にある総ての商品について、ステップＳ２の読み取り、ステップＳ３の情報作成、ステップＳ４の送信が行われる。
【００６０】
ステップＳ５で、第ｎ供給先ＭＢnによって、供給されて保管状態にある商品Ｐのうち、入手する商品Ｐが選択される。ステップＳ６で、選択された商品Ｐの第１情報ｉ１が、第ｎ入手情報読取部１３Ｂnによって読みとられる。第１情報ｉ１が第ｎ入手情報読取部１３Ｂnに読みとられた商品Ｐは、第ｎ供給先ＭＢnによって保管された状態から、第ｎ供給先ＭＢnによって入手された状態に切り替えられる。
【００６１】
ステップＳ７で、第ｎ入手情報読取部１３Ｂnによって読みとられた第１情報ｉ１に基づいて、第ｎ入手状況作成部３３Ｂnによって、第ｎ供給先ＭＢnに供給された商品Ｐのうち入手された商品Ｐに関する情報（第ｎ入手情報ｉ３n）が作成される。ステップＳ８で、第ｎ入手情報送信部５３Ｂnによって、第ｎ入手情報ｉ３nが供給元管理装置Ａの通信部５０Ａに送信される。
【００６２】
ステップＳ９で、通信部５０Ａによって受信された第ｎ保管情報ｉ２n、及び第ｎ入手情報ｉ３nに基づいて、制御部３０Ａによって演算が行われる。具体的には、第ｎ保管情報ｉ２nに基づいて、第ｎ供給先ＭＢnの保管状況が算出され、第ｎ入手情報ｉ３nに基づいて、第ｎ供給先ＭＢnの入手状況が算出される。保管状況、入手状況に基づいて、第ｎ供給先ＭＢnに対して供給すべき商品Ｐの種類、数量、及びその時期が算出され、第ｎ供給先ＭＢnが入手した商品の金額（単価×個数）が算出される。
【００６３】
なお、第１実施形態では、第ｎ保管情報読取部１１Ｂnによる第１情報ｉ１の読み取り、第ｎ保管状況作成部３１Ｂnによる第ｎ保管情報ｉ２nの作成、及び第ｎ保管状況送信部５１Ｂnによる第ｎ保管情報ｉ２nの送信は、商品Ｐを第ｎ供給先ＭＢnに保管する時に１度だけ行えばよいが、保管状況の確認の為に、時間間隔をおいて複数回行っても良い。
【００６４】
この場合、時間間隔をおいて作成された複数回の第ｎ保管情報ｉ２nに基づく保管状況の差異に基づいて、第ｎ供給先ＭＢnにおける商品の入手状況を特定することが可能である（第２実施形態）。すなわち、ある時点で得られた第ｎ保管情報ｉ２nに基づく保管状況と、その後に得られた第ｎ保管情報ｉ２nに基づく保管状況との間に商品数の差異が見られる場合は、その差異が第ｎ供給先ＭＢnによって入手された商品数であると考えることが出来、入手状況を算出することが出来る。
【００６５】
第２実施形態においては、第ｎ入手情報読取部１３Ｂn、第ｎ入手状況作成部３３Ｂn、及び第ｎ入手状況送信部５３Ｂnは無くてもよい（図１２参照）。他の形態については、第１実施形態と同様である。第２実施形態においては、同じ商品について、時間間隔をおいて何度も第１情報ｉ１の読み取り、第ｎ保管情報ｉ２nの作成及び送信を行う必要があるが、第ｎ供給先ＭＢnの入手者が商品を入手する際の、第１情報ｉ１の読み取り等の作業を省くことが出来るメリットを有する。
【００６６】
次に、商品Ｐが供給元ＭＡから第ｎ供給先ＭＢnに供給され、第ｎ供給先ＭＢnが商品Ｐを入手されたことを供給元管理装置Ａで特定する手順を図１３のフローチャートを用いて説明する。
【００６７】
ステップＳ２１で、商品Ｐが第１情報ｉ１を有する情報部ＩＵが取り付けられた包装部材Ｃによって包装又は捲着された状態で、供給元ＭＡから第ｎ供給先ＭＢnに供給される。但し、情報部ＩＵの包装部材Ｃへの取付、及び包装部材Ｃによる包装又は捲着は、第ｎ供給先ＭＢnに供給された後に行っても良い。ステップＳ２２で、第ｎ供給先ＭＢnにおいて、第ｎ保管情報読取部１１Ｂnによって、商品Ｐの第１情報ｉ１が読みとられる。
【００６８】
ステップＳ２３で、第ｎ保管情報読取部１１Ｂnによって読みとられた第１情報ｉ１に基づいて、第ｎ保管状況作成部３１Ｂnによって、第ｎ供給先ＭＢnに供給された商品Ｐの保管に関する情報（第ｎ保管情報ｉ２n）が作成される。ステップＳ２４で、第ｎ保管情報送信部５１Ｂnによって、第ｎ保管情報ｉ２nが、供給元管理装置Ａの通信部５０Ａに送信される。
【００６９】
第ｎ供給先ＭＢnに供給されて保管状態にある総ての商品について、ステップＳ２２の読み取り、ステップＳ２３の情報作成、ステップＳ２４の送信が行われ、通信部５０Ａによって受信されたステップＳ２４における第ｎ保管情報ｉ２nに基づいてステップＳ２４の送信時における第ｎ供給先ＭＢnの保管状況が制御部３０Ａによって算出される。
【００７０】
ステップＳ２２から時間間隔をおいた後、ステップＳ２５で、第ｎ供給先ＭＢnにおいて、第ｎ保管情報読取部１１Ｂnによって、商品Ｐの第１情報ｉ１が再度読みとられる。
【００７１】
ステップＳ２６で、第ｎ保管情報読取部１１Ｂnによって再度読みとられた第１情報ｉ１に基づいて、第ｎ保管状況作成部３１Ｂnによって、第ｎ供給先ＭＢnに供給された商品Ｐの保管に関する情報（第ｎ保管情報ｉ２n）が再度作成される。ステップＳ２７で、第ｎ保管情報送信部５１Ｂnによって、再度作成された第ｎ保管情報ｉ２nが、供給元管理装置Ａの通信部５０Ａに再度送信される。
【００７２】
第ｎ供給先ＭＢnに供給されて保管状態にある総ての商品について、ステップＳ２５の読み取り、ステップＳ２６の情報作成、ステップＳ２７の送信が行われ、通信部５０Ａによって受信されたステップＳ２７における第ｎ保管情報ｉ２nに基づいてステップＳ２７の送信時における第ｎ供給先ＭＢnの保管状況が制御部３０Ａによって算出される。
【００７３】
ステップＳ２８で、制御部３０ＡによってステップＳ２４の送信時における第ｎ供給先ＭＢnの保管状況と、ステップＳ２７の送信時における第ｎ供給先ＭＢnの保管状況の差異に関する演算が行われる。商品の保管量の差異が、第ｎ供給先ＭＢnによって入手された商品の数に相当し、ステップＳ２７の送信時における第ｎ供給先ＭＢnの保管状況が、第ｎ供給先ＭＢnにおける最新の保管状況に相当する。ステップＳ２９で、差異に基づいて、演算が行われる。具体的には、差異に基づいて算出される保管状況、入手状況から、第ｎ供給先ＭＢnに対して供給すべき商品Ｐの種類、数量、及びその時期が算出され、第ｎ供給先ＭＢnが入手した商品の金額（単価×個数）が算出される。
【００７４】
第２実施形態では、保管状況を頻繁に調べる必要があるため、商品ごとの第１情報ｉ１を読みとる機会が多くなる。従って、情報部ＩＵがＩＣタグであるなど、第１情報ｉ１の読み取りが自動的に行われるのが望ましい。
【００７５】
入手情報読取部を介した情報から供給先が商品を入手した商品の種類及び数を算出する形態（第１実施形態）、及び時間間隔をおいて複数回行われた保管状況における商品保管数の差異から供給先が入手した商品の種類及び数を算出する形態（第２実施形態）を組み合わせれば、実際に供給先が入手した商品の種類と数を２系統の集計に基づいて照合させることが出来、在庫管理精度を向上させることが可能になる。これにより、供給元ＭＡから離れた第ｎ供給先ＭＢnに商品を保管（供給元ＭＡの在庫として）した場合の商品の盗難を防ぐ安全性を高めることが出来る。
【００７６】
第１、第２実施形態では、供給先毎の保管状況を供給元管理装置Ａの制御部３０Ａにおいて算出する形態を説明したが、かかる演算は第１〜第Ｎ供給先通信装置Ｂ1〜ＢNそれぞれにおいて行っても良い。この場合、第ｎ供給先通信装置Ｂnの第ｎ保管状況作成部３１Ｂnは、保管状況にある商品総ての第１情報ｉ１から第ｎ供給先ＭＢnにおける保管状況を集計し、第ｎ保管状況送信部５１Ｂnは、これを第ｎ保管情報ｉ２nとして供給元管理装置Ａに送信する。
【００７７】
同様に、供給先毎の入手状況を供給元管理装置Ａの制御部３０Ａにおいて算出する形態を説明したが、かかる演算は第１〜第Ｎ供給先通信装置Ｂ1〜ＢNそれぞれにおいて行っても良い。この場合、第ｎ入手状況作成部３３Ｂnは、一定期間内に入手された商品総ての第１情報ｉ１から第ｎ供給先ＭＢnにおける一定期間内の入手状況を集計し、第ｎ入手状況送信部５３Ｂnは、これを第ｎ入手情報ｉ３nとして供給元管理装置Ａに送信する。
【００７８】
これらいずれの場合でも、保管状況、入手状況に基づいて、供給元管理装置Ａの制御部３０Ａにおいて、第ｎ供給先ＭＢnに対して供給すべき商品Ｐの種類、数量、及びその時期が算出され、第ｎ供給先ＭＢnが入手した商品の金額（単価×個数）が算出される。
【図面の簡単な説明】
【００７９】
【図１】第１実施形態における在庫管理システムの構成図である。
【図２】商品を包装し、第１情報を有する情報部が取り付けられた包装部材の一例を示す図である。
【図３】図２と異なる包装部材の一例を示す図である。
【図４】商品を捲着し、第１情報を有する情報部が取り付けられた包装部材の一例を示す図である。
【図５】第ｎ供給先通信装置の構成図である。
【図６】第ｎ保管情報を示す図である。
【図７】第ｎ入手情報を示す図である。
【図８】供給元管理装置の構成図である。
【図９】第ｎ回収箱を示す図である。
【図１０】スロットを有する包装部材を示す図である。
【図１１】商品を入手する手順を示すフローチャートである。
【図１２】第２実施形態における第ｎ供給先通信装置の構成図である。
【図１３】第２実施形態における商品が入手されたことを特定する手順を示すフローチャートである。
【符号の説明】
【００８０】
１  在庫管理システム
１０Ｂ1〜１０ＢN  第１〜第Ｎ入力部
１０Ｂn  第ｎ入力部
１１Ｂ1〜１１ＢN  第１〜第Ｎ保管情報読取部
１１Ｂn  第ｎ保管情報読取部
１３Ｂ1〜１３ＢN  第１〜第Ｎ入手情報読取部
１３Ｂn  第ｎ入手情報読取部
３０Ａ  制御部
３０Ｂ1〜３０ＢN  第１〜第Ｎ制御部
３０Ｂn  第ｎ制御部
３１Ｂ1〜３１ＢN  第１〜第Ｎ保管状況作成部
３１Ｂn  第ｎ保管状況作成部
３３Ｂ1〜３３ＢN  第１〜第Ｎ入手状況作成部
３３Ｂn  第ｎ入手状況作成部
５０Ａ  通信部
５０Ｂ1〜５０ＢN  第１〜第Ｎ通信部
５０Ｂn  第ｎ通信部
５１Ｂ1〜５１ＢN  第１〜第Ｎ保管状況送信部
５１Ｂn  第ｎ保管状況送信部
５３Ｂ1〜５３ＢN  第１〜第Ｎ入手状況送信部
５３Ｂn  第ｎ入手状況送信部
７０Ａ  出力部
Ａ  供給元管理装置
Ｂ1〜ＢN  第１〜第Ｎ供給先通信装置
Ｂn  第ｎ供給先通信装置
Ｃ  包装部材
Ｈ1〜ＨN  第１〜第Ｎ回収箱
Ｈn  第ｎ回収箱
ｉ１  第１情報
ｉ２1〜ｉ２N  第１〜第Ｎ保管情報
ｉ２n  第ｎ保管情報
ｉ３1〜ｉ３N  第１〜第Ｎ入手情報
ｉ３n  第ｎ入手情報
ＩＵ  情報部
ＭＡ  供給元
ＭＢ1〜ＭＢN  第１〜第Ｎ供給先
ＭＢn  第ｎ供給先
ＭＢm  第ｍ供給先
ＳＬ  スロット
【図１】
2007137604.tif 000003
【図２】
2007137604.tif 000004
【図３】
2007137604.tif 000005
【図４】
2007137604.tif 000006
【図５】
2007137604.tif 000007
【図６】
2007137604.tif 000008
【図７】
2007137604.tif 000009
【図８】
2007137604.tif 000010
【図９】
2007137604.tif 000011
【図１０】
2007137604.tif 000012
【図１１】
2007137604.tif 000013
【図１２】
2007137604.tif 000014
【図１３】
2007137604.tif 000015